(57)【要約】［課題］  現在〜近未来の重要な諸課題が各課題等の集中解決を目標として国・世界レベルで略組織化され対処されるシステムがなかった。各企業は新製品を販売して利益を上げる命題に追われ、社会一般は日常生活を即座に左右するものでないから影響薄いものと問題が先送りされた。このため近未来の世代は多くの難題を背追う運命にあるが深刻化後は遅過ぎる。そこでまだ比較的に余裕のある現在のうちから近未来の重い負担となるべき難題を我が事として国・世界レベルで知価を結集融合し課題によっては実用化に直結して定義する体制をシステム化して構成し、現存のインターネットを活用して効率性・経済性・資源性を養護しつつ重要な諸課題に対する養護の一手段を図るものである。［解決手段］  インターネットにより社会全般の知価が結集融合され融結体制がシステム化される融結枠を具備する。さらに必要であれば各課題のデータを管理推計分拆して管拆体制がシステム化される管拆枠や、実施案をモデル実施から本格実施へと推進するべき略組織的な実用体制がシステム化される実用枠を含んで構成される。【選択図】図３
2005141713.tif 000002
【特許請求の範囲】
【請求項１】
インターネットにより現在〜近未来の諸課題が各課題毎に知価結集融合され対処体制がシステム化される枠（領域）を含み、  該各課題のメカニズム・要因・現状が商明に解説される現状欄、該各課題の解決を目標として社会一般からの一般策、専門分野からの専門策、各策が融合される融合業、等が応募公開される一般欄・専門欄・融合欄等を含み、社会全般からの知価が結集融合され融結体制がシステム化される融結枠を具備した対処体を有することを特徴とする養護装置。
【請求項２】
インターネットにより現在〜近未来の諸課題が各課題毎にデータ分析・知価集結融合・実施軌道化の対処体制がシステム化される各枠（領域）を含み、  該各課題のデータを管理推計分析して管析体制がシステム化される管析枠と、  該各課題のメカニズム・要因・現状を解説し一般策・専門策・融合策を応募公開して社会全般の知価が結集融合され融結体制がシステム化される融結枠と、  該評定案から採択される実施策・実施報告・改善策○を応募公開して限定的なモデル実施から本格実施へ略組織的な実用体制がシステム化される実用枠と、を具備した対処体を有することを特徴とする養護装置。
【請求項３】
インターネットにより現在〜近未来の諸課題が各課題毎にデータを分析・知価集結融合・実施軌道化の対処体制がシステム化される各段階を含み。  該各課題のデータを管理推計分析して管析体制がシステム化される管析段階と、  該各課題のメカニズム・要因・現状を解説し一般策・専門策・融合策を応募公開して社会全般の知価が結集融合され融合体制がシステム化される融結段階と、  該評定案から採択される実施策・実施報告・改善策を応募公開して限定的なモデル実施から本格実施へ略組織的な実用体制がシステム化される実用段階と、を具備した対処体の使用方法を有することを特徴とする養護装置の使用方法。
【発明の詳細な説明】
【発明の詳細な説明】
【技術分野】  本発明は養護装置とその使用方法に関し、より詳しくは現存のインターネットにより現在〜近未来の諸課題を各課題毎に社会全般の知価を結集融合する体制をシステム化し、必要によりデータの管理推計分析する体制や実用化する体制をシステム化し、効率性・経済性・資源性の養護を図り、近未来の重い負担となるべき諸課題に対する養護一手段を図るものである。
【背景技術】  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて未来く生存するべき人類の運命を左右しかねない程、重要な意義を持つと予測される事態に至ってきた。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動権力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の悪化、資源の枯渇、食糧不足、等大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に担当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球���境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強く一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的を世界人口の増加は、人工爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２回に示すように現在実際に直面しまた予測されている危機的課題はいずれも地球規模のものであり、将来益々激しさを増すもので非可送的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった���後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い。でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが見る大危機である。以上は相当現代に近い近未来〜中未来の切実で大きな課題である。相当先々の中未来〜遠未来のことになるが太陽光度の漸次増強による地球高温化、地球の第２金星北の課題は放置すれば生物や人類の世紀末とも言うべき、全運命を左右する大危機である。  本発明の第１の目的は現在〜近未来の諸課題への社会全般の知価を結集融合し、実用化への体制をシステム化し諸課題に対する養護の一手段を図ることである。  本発明の第２の目的は現在のインターネットを活用して効率性・経済性・資源性の養護を図ることである。
【発明を実施するための最良の形態】
2005141713.tif 000003
2005141713.tif 000004
【発明の効果】
（１〜３）対処体（使用方法）は、インターネット→に表示される管拆枠では現在へ近未来の諸課題が各課題毎に管理欄・推計欄でデータが比較対照され注目欄でデータ分析の注目点が簡明に解説されて管拆体制がシステム化されるので対処の重要性の背景や趣旨が客観的に広域認識される。融結枠では諸課題が各課題毎にメカニズム・要因・現状報告が簡明に解説され問題意識が換起され、それに対して社会一般からの一般案・専問案・融合案が応募公開されて融結体制がシステム化される。一般案は専問知識のない素人の提案だがそれ故に飛躍した大胆な発想が提起される可能性がある。特に若年層からの提案は素直な新鮮味があり提案による問題意識は解決が基となり将来有望な芽となる人材が育成される可能性がある。専問案は埋もれ勝ちな専問分野の研究成果が下記の実用枠で→実施に直結する体制によって即座に実用化される可能性があるので意欲が向上する。個人的研究を続行希望の専問案は非公開扱いも可能であり養護される。融合案は融結規定等で原案と融合の双方の創造性が養護され縦に深い専問案が飛躍した広域な一般案の発想からヒントを得る等広域の英知が相乗的に結集・融合される。評定案は各案が公正な評価機関で評価されて検索可能な本登録番号が付され客観的に重要性が認証される。→実用枠では各課題毎に実施案・実施報告・改善案が応募公開されてモデル実施から本格実施へと実用体制がシステム化されて実用性が高まる。モデル実施は実施案の問題点が改善案によって改善され繰返しの後本格実施へと移行されるので無駄な投資や誤りが少くなり国内で実証されれば国際貢献の可能性も出てくる。→対処体は各課題毎に少数がまいた発想のタネが多数で発芽されインターネット等によって略組織化も可能な国・世界規模の実用化に直結して軌道化されるので、運用のされ方次第で少数の創造のタネが早期に定着される。→対処体は現存のインターネットによって管拆体制・融結体制・実用体制が永続・蓄積・進展可能なシステムとして構成されるので効率性・経済性・資源性が養護され、近未来の世代に極めて重い負担となるべき国・世界の諸課題に対して現在のうちから養護の一手段を図ることができる。
【図面の簡単な説明】
【図１】２０世紀の人類の活動による地球環境等の課題と２１世紀の予測を示す図
【図２】代表的な地球規模の課題と世界人口が原因する因果関係を示す図、
【図３】本発明の養護装置の一実施例を示す図、
【図４】本発明の養護装置の一実施例である防護装置の一実施例を示す図、
【図５】同上の防護装置の他の実施例を示す図、
【図６】同上の防護装置の他の実施例を示す図である。
【符号の説明】
【図１】
2005141713.tif 000005
【図２】
2005141713.tif 000006
【図３】
2005141713.tif 000007
【図４】
2005141713.tif 000008
【図５】
2005141713.tif 000009
【図６】
2005141713.tif 000010